(57)【要約】      （修正有）【課題】蓋体が閉塞状態と全開状態との途中でゴミ箱本体に係脱自在に係止でき、しかも、簡易な構造にできるゴミ箱を提供する。【解決手段】蓋体取付部２５を有するゴミ箱本体２と、後方側に本体取付部を有する蓋体３とを備える。蓋体取付部２５は、前第２突部２８ａと、後第２突部２８ｂとを備える。本体取付部は、それらの前第２突部２８ａと後第２突部２８ｂとのそれぞれと蓋体３の回動操作に伴って係脱自在に係止する第１突部３２ｂを備える。【選択図】図９
0003183007.tif 000002
【実用新案登録請求の範囲】
【請求項１】
上方が開口されるとともに蓋体取付部を有するゴミ箱本体と、前記蓋体取付部に回動自在に取り付けられた本体取付部とを備えたゴミ箱であって、
前記蓋体は、前記蓋体取付部に対して前記本体取付部が相対的に回動することにより、前記開口を閉塞する閉塞状態と平面視において前記開口と重複しない全開状態との間で回動し得るように構成され、
前記蓋体取付部と本体取付部とは、それぞれ、前記回動軸に対して垂直であって互いに対向した対向面を備え、
それらの対向面の一方には、他方の対向面側に突出する少なくとも１つの第１突部が設けられ、
前記対向面の他方には、前記一方の対向面側に突出するとともに、互いに前記第１突部に対応する間隔を隔てて配置された複数の第２突部が設けられ、
前記第２突部は、前記閉塞状態と全開状態との間の途中状態で、前記第１突部が係脱可能な位置に配置されていることを特徴とするゴミ箱。
【請求項２】
前記蓋体取付部と本体取付部との一方は、蓋開閉用回動軸部を備え、
前記第１突部及び第２突部は、前記回動軸に直交する方向に沿って延された長尺状を呈するものであることを特徴とする請求項１記載のゴミ箱。
【請求項３】
前記ゴミ箱本体は、側壁を備え、
前記蓋体取付部は、前記側壁の上端部から突設され、
前記蓋体は、蓋体本体を備え、
前記本体取付部は、前記蓋体本体から突設され、
これらの蓋体取付部と本体取付部との一方は、互いに間隔を隔てて互いに対向するように配設された２つの取付用突設部を備え、
前記蓋体取付部と本体取付部との他方は、前記取付用突設部同士の間に、前記取付用突設部のそれぞれと対向するように配設されて前記取付用突設部のそれぞれに回動自在に取り付けられた嵌挿凸部を備え、
前記互いに対向した対向面は、前記取付用突設部のそれぞれと嵌挿凸部との対向部のそれぞれに形成され、
前記第１突部は、前記蓋体取付部の対向面のそれぞれに形成され、
前記第２突部は、前記本体取付部の対向面のそれぞれに形成されていることを特徴とする請求項１又は２記載のゴミ箱。
【考案の詳細な説明】
【技術分野】
【０００１】
本考案は、ゴミ箱に関するものである。
【背景技術】
【０００２】
従来から、上方が開口されたゴミ箱本体と、そのゴミ箱本体に回動自在に取り付けられて開口を開閉する蓋体とを備えたゴミ箱は知られており、例えば特許文献１に開示されている。この特許文献１に開示されたゴミ箱は、ゴミ箱本体と、蓋体とを備え、又、蓋体は、前端側に蓋体操作部を、後端側に枠体を介してゴミ箱本体に回動可能に取り付けられた本体取付部をそれぞれ、備えている。そして、このゴミ箱は、開放バネの付勢力によって蓋体が開口を閉めた閉塞状態から蓋体の蓋体操作部が蓋体の本体取付部に対して斜め上前方位置になった開状態の位置まで回動してその位置で係止できるようにし、これにより、開口を開けた状態に維持できるようにしている。
【先行技術文献】
【特許文献】
【０００３】
【特許文献１】特開２０１１−２５６０４０号公報
【考案の概要】
【考案が解決しようとする課題】
【０００４】
しかしながら、上記特許文献１に開示されたゴミ箱においては、蓋体が閉塞状態の位置から、蓋体操作部が本体取付部に対して斜め上前方になる位置で開状態を維持することができる点で便利であるものの、この開口位置から更に開放して平面視において開口と重複しない全開状態にすることができない構造になっている。そのため、例えばゴミ箱本体の内部に収納したゴミを両手で取り出すような場合に、蓋体が前記斜め上前方位置に回動した開状態の蓋体が邪魔になって取り出し難い場合がある。又、上記特許文献１に開示されたゴミ箱においては、開放バネを用いているため、構造が複雑になっている。
【０００５】
本考案は、蓋体が閉塞状態と全開状態との途中でゴミ箱本体に係脱自在に係止でき、しかも、簡易な構造にできるゴミ箱の提供を目的とする。
【課題を解決するための手段】
【０００６】
上記課題を解決するため、本考案は、上方が開口されるとともに蓋体取付部を有するゴミ箱本体と、前記蓋体取付部に回動自在に取り付けられた本体取付部とを備えたゴミ箱であって、前記蓋体は、前記蓋体取付部に対して前記本体取付部が相対的に回動することにより、前記開口を閉塞する閉塞状態と平面視において前記開口と重複しない全開状態との間で回動し得るように構成され、前記蓋体取付部と本体取付部とは、それぞれ、前記回動軸に対して垂直であって互いに対向する対向面を備え、それらの対向面の一方には、他方の対向面側に突出する少なくとも１つの第１突部が設けられ、前記対向面の他方には、前記一方の対向面側に突出するとともに、互いに前記第１突部に対応する間隔を隔てて配置された複数の第２突部が設けられ、前記第２突部は、前記閉塞状態と全開状態との間の途中状態で、前記第１突部が係脱可能な位置に配置されていることを特徴とする。
【０００７】
この構成によれば、蓋体の閉塞状態と全開状態との間の途中状態で、第１突部と第２突部とが係脱可能に係止できる。そして、その係止状態から第１突部と第２突部との係止を解除させて全開状態にできる。従って、例えばゴミをゴミ本体内に投入する場合は、蓋体を、閉塞状態と全開状態との間の途中状態で第１突部と第２突部とを係止した状態にして使用し、例えばゴミ箱本体の内部に収納したゴミを両手で取り出すような場合には、蓋体を全開状態にすれば、蓋体が邪魔になることなく、円滑にゴミを取り出すことができる。
【０００８】
又、蓋体を一定以上の力で単に回動操作することによって、第１係止突片と第２係止突片と蓋体取付部と本体取付部との少なくとも１つが弾性変形して第１突部と第２突部との一方が他方を乗り越えるようにして係止できるとともに、その係止した第１突部と第２突部とを係止解除できる。従って、簡易な構造にできる。しかも、使用者にとって係止操作及び係止解除操作を容易に行うことができ、使用し易いものにできる。
【０００９】
上記ゴミ箱において、前記蓋体取付部と本体取付部との一方は、蓋開閉用回動軸部を備え、前記第１突部及び第２突部は、前記回動軸に直交する方向に沿って延された長尺状を呈するものであることが好ましい。
【００１０】
この構成によれば、第１突部と第２突部とを、互いに長手方向に並ぶようにして当接させて係止できる。従って、係止状態の当接面積を多くでき、確実に係止できる。
【００１１】
上記ゴミ箱において、前記ゴミ箱本体は、側壁を備え、前記蓋体取付部は、前記側壁の上端部から突設され、前記蓋体は、蓋体本体を備え、前記本体取付部は、前記蓋体本体から突設され、これらの蓋体取付部と本体取付部との一方は、互いに間隔を隔てて互いに対向するように配設された２つの取付用突設部を備え、前記蓋体取付部と本体取付部との他方は、前記取付用突設部同士の間に、前記取付用突設部のそれぞれと対向するように配設されて前記取付用突設部のそれぞれに回動自在に取り付けられた嵌挿凸部を備え、前記互いに対向した対向面は、前記取付用突設部のそれぞれと嵌挿凸部との対向部のそれぞれに形成され、前記第１突部は、前記蓋体取付部の対向面のそれぞれに形成され、前記第２突部は、前記本体取付部の対向面のそれぞれに形成されていることが好ましい。
【００１２】
この構成によれば、取付用突設部のそれぞれと嵌挿凸部との対向部のそれぞれを、第１突部と第２突部とによって係止でき、より一層、確実に係止できる。
【考案の効果】
【００１３】
本考案は、蓋体が閉塞状態と全開状態との途中でゴミ箱本体に係脱自在に係止でき、しかも、簡易な構造にできるゴミ箱の提供を目的とする。
【図面の簡単な説明】
【００１４】
【図１】本考案のゴミ箱の一実施形態の縦断面図である。
【図２】図１のゴミ箱の要部の底面図である。
【図３】図２のＩＩＩ−ＩＩＩ線断面図である。
【図４】図１のゴミ箱におけるゴミ箱本体の側面図である。
【図５】図４のゴミ箱本体の平面図である。
【図６】図４のゴミ箱本体の底面図である。
【図７】図１のゴミ箱における蓋体の平面図である。
【図８】図７のＩＸ−ＩＸ線面図である。
【図９】第１突部と第２突部とが係止した状態の説明図である。
【図１０】図９のＸ−Ｘ線断面図である。
【考案を実施するための形態】
【００１５】
以下、本考案を実施するための形態について、図面を参照しながら詳細に説明する。図１は、本考案のゴミ箱の一実施形態の縦断面図、図２は、図１のゴミ箱の要部の底面図、図３は、図２のＩＩＩ−ＩＩＩ線断面図である。尚、図のＸ方向を前方側とし、Ｙ方向を後方側として説明する。
【００１６】
この実施形態のゴミ箱１は、図１〜図３に示すようにゴミ箱本体２と、蓋体３と、ゴミ箱本体２の転倒を防止するための転倒防止部材４とを備えている。
【００１７】
ゴミ箱本体２は、図４〜図６に示すように、方形状の底壁２２と、底壁の周縁部から立ち上がるように形成された左右の両側壁２３ａ、２３ｂ及び前後の両側壁２３ｃ、２３ｄとを備え、これらが合成樹脂によって一体成形されている。そして、これらによって上方が開口されたゴミ収納部２１が区画形成され、その開口からゴミをゴミ収納部２１に投入できるようになっている。
【００１８】
又、ゴミ箱本体２は、下方部における前端から後方部にかけて、床面等の設置面１１０に設置される被設置部２０を備えている。この被設置部２０は、底壁２２から下方に延設されるようにして形成されている。そして、この被設置部２０が設置面１１０に設置されると、ゴミ収納部２１の軸心Ｏ１が鉛直方向に略一致するようになっている。
【００１９】
又、ゴミ箱本体２における被設置部２０の後方側の左右両側に、左右一対の車輪１１が転がり可能に付設されている。この実施形態では、車輪１１は、その下端がゴミ箱本体２の被設置部２０の下端と略同高さ位置になるように設定されている。なお、車輪１１は、２個、備えるものに限らず、１つ又は３つ以上、設けてもよい。又、車輪１１は、いわゆる輪状のものでなく、ボールキャスターのような球状のものであってもよい。
【００２０】
ゴミ箱本体２の底壁２２は、この実施形態では、底壁本体２２ｂと、転倒防止部材４を連結する連結軸５とを備えている。
【００２１】
底壁本体２２ｂは、板状に形成され、その後部における車輪１１の間に、底壁２２の一部を段部を介して上方側に窪ませるようにして形成された凹部２４が設けられている。そして、この凹部２４内に、車輪１１を連結する車軸が配置されている。
【００２２】
連結軸５は、図３に示すように底壁本体２２ｂにおける凹部２４を形成した凹部底壁２２ａの後方側の左右中央にその凹部底壁２２ａから下方に略筒状に突設された連結軸本体６と、連結軸本体６に係止された係止円筒状部材７とにより構成されている。
【００２３】
又、ゴミ箱本体２の後側壁２３ｄは、側壁本体２３ｅと、その側壁本体２３ｅの上部に、蓋体３を取り付ける蓋体取付部２５とを備えている。この実施形態の蓋体取付部２５は、図４〜図６に示すように側壁本体２３ｅの上端部から後方側に所定の左右の幅で突設された嵌挿凸部２６と、嵌挿凸部２６の左右両側に形成された蓋開閉用回動軸部２７とを備えている。
【００２４】
蓋開閉用回動軸部２７は、それぞれ、蓋体３を回動自在に取り付けて蓋体３がゴミ箱本体２の開口を閉塞する閉塞状態と平面視において開口と重複しない全開状態、即ち、平面視において蓋体３の前端が開口の後端と同じ位置又は開口の後端よりも後方側にきて開口の上方側に蓋体３が存在しない全開状態との間で回動可能にするものであり、この実施形態の蓋開閉用回動軸部２７は、後述の嵌挿凸部２６の蓋体対向面２６ａから左方向、右方向のそれぞれに突出するように形成されている。
【００２５】
嵌挿凸部２６は、側壁本体２３ｅよりもやや狭い左右幅で形成されており、その左右の両端のそれぞれに、後述の蓋体３の本体対向面３２のそれぞれと対向した平面状の蓋体対向面２６ａを備えている。
【００２６】
蓋体対向面２６ａは、それぞれ、蓋開閉用回動軸部２７の軸方向と垂直な垂直面をなしている。又、蓋体対向面２６ａには、それぞれ、第２突部２８ａ、２８ｂが設けられている。
【００２７】
第２突部は、蓋体対向面２６ａのそれぞれにおける蓋開閉用回動軸部２７の上方側に、蓋開閉用回動軸部２７と同方向に蓋体対向面２６ａから突出するように形成された前第２突部２８ａ及びその前第２突部２８ａの後方側に配設された後第２突部２８ｂとの２つを備えている。
【００２８】
前第２突部２８ａと後第２突部２８ｂとは、夫々、蓋開閉用回動軸部２７の軸方向と直交する方向に沿って所定の幅で所定の長さに延された長尺状に形成されている。
【００２９】
そして、これらの前第２突部２８ａと後第２突部２８ｂとは、互いの間に後述の第１突部３２ｂが入り込み可能な間隙２８ｃが形成されるように、互いに前後方向に所定の距離をもって配設されている。
【００３０】
蓋体３は、蓋体本体３ａと、蓋体取付部２５に回動自在に取り付けられる本体取付部３１とを備えている。
【００３１】
蓋体本体３ａは、図１に示すようにゴミ収納部２１の開口の全体を上方から塞ぐことができる大きさのものから構成されており、図７、図８に示すように、その前端側に蓋体操作部３０を備えている。
【００３２】
本体取付部３１は、蓋体本体３ａの後端における左右の両側に、それぞれ、蓋体本体３ａから後方側に突設された２つの取付用突設部３１ａを備えている。
【００３３】
これらの２つの取付用突設部３１ａは、互いに左右方向に、ゴミ箱本体２の嵌挿凸部２６を嵌挿し得るだけの間隔を隔てて互いに対向するように配設されている。
【００３４】
又、取付用突設部３１ａは、それぞれ、蓋体取付部２５の蓋体対向面２６ａのそれぞれと略平行状態で対向する本体対向面３２を備えている。
【００３５】
又、各本体対向面３２には、蓋開閉用回動軸部２７が回動自在に嵌挿される軸嵌挿凹部３２ａと、第２突部２８ａ、２８ｂと係脱自在に係止する第１突部３２ｂとが設けられている。この軸嵌挿凹部３２ａは、本体対向面３２から断面円形状に凹まされるように形成されている。
【００３６】
そして、２つの取付用突設部３１ａの間に嵌挿凸部２６が嵌挿されるとともに、軸嵌挿凹部３２ａにゴミ箱本体２の蓋開閉用回動軸部２７が回動自在に嵌挿され、これにより、本体対向面３２と蓋体対向面２６ａとが対向する。又、その状態で、蓋体３がゴミ箱本体２に対して蓋開閉用回動軸部２７を回動軸に回動し、蓋体３がゴミ箱本体２の開口を閉塞する閉塞状態と平面視において開口と重複しない全開状態との間で回動可能にする。この実施形態では、蓋体３は、閉塞状態から、蓋体３の蓋体操作部３０がゴミ箱本体２の後側壁２３ｄの後方側に回された全開状態までの範囲を回動するようになっている。
【００３７】
第１突部３２ｂは、本体対向面３２における軸嵌挿凹部３２ａの前方側に、本体対向面３２から、対向する蓋体対向面２６ａ側に突出するようにして形成されている。又、第１突部３２ｂは、軸嵌挿凹部３２ａ（軸嵌挿凹部３２ａが嵌挿された蓋開閉用回動軸部２７）の軸方向と直交する方向に沿って所定の幅で所定の長さに延された長尺状のものから構成されている。
【００３８】
この第１突部３２ｂの本体対向面３２からの突出量は、図１０に示すように、蓋体３の本体取付部３１がゴミ箱本体２の蓋体取付部２５に取り付けられて第１突部３２ｂと第２突部２８ａ、２８ｂとに力がかかっていない通常状態で、蓋体対向面２６ａから第２突部２８ａ、２８ｂの先端までの距離Ｌ１よりも蓋体対向面２６ａから第１突部３２ｂまでの距離Ｌ２が短くなるように設定されている。
【００３９】
そして、蓋体３の回動操作に伴い第１突部３２ｂが前第２突部２８ａと当接し、その当接状態から更に回動操作されると、第２突部２８ａ、２８ｂと第１突部３２ｂと本体取付部３１と蓋体取付部２５との少なくとも１つが弾性変形して第１突部３２ｂがその前第２突部２８ａを乗り越えて間隙２８ｃに入り込み、その入り込んだ状態で係止する。又、その係止状態から蓋体３の回動操作に伴い、第１突部３２ｂが第２突部２８ａ、２８ｂを乗り越えて係止解除できるように形成されている。
【００４０】
又、この実施形態では、蓋体３は、図１に示すように、その前端部に、ゴミ箱本体２の上端と係脱自在に係合する係合片３５を備えている。
【００４１】
次に、転倒防止部材４について説明する。転倒防止部材４は、長尺状の転倒防止部材本体４０と、転倒防止部材本体４０の一端側に形成された軸連結部４１と、転倒防止部材本体４０の他端側に形成され設置面１１０に当接してゴミ箱本体２を支える設置面当接部４２とを備えている。
【００４２】
そして、この転倒防止部材４は、連結軸５の係止円筒状部材７が連結軸本体６に係止されるに先だって、軸連結部４１の係止円筒状部材嵌挿孔４１ａに連結軸５の保持部７３ａが下方側から嵌挿される（図３参照）。これにより、図３に示すように軸連結部４１が係止円筒状部材７の支持部７４ａに下方側から抜け止めされた状態で支持され、その状態で、保持部７３ａに回動自在に保持され、係止円筒状部材７が連結軸本体６に係止されるに伴って、ゴミ箱本体２に回動自在に取り付けられる。
【００４３】
そして、ゴミ箱本体２に取り付けられた転倒防止部材４は、図１に示すように、設置面当接部４２が設置面に当接した当接姿勢で、その転倒防止部材本体４０が連結軸５から斜め下方、且つ、図２に示すように後側壁２３ｄと垂直に、後側壁２３ｄの下端から後方に突出し、設置面当接部４２が設置面に当接した当接姿勢になる。又、この当接姿勢で、図１に示すように側面視で設置面当接部４２の先端部はゴミ箱本体２の嵌挿凸部２６の先端部よりも前方側に配置されている。
【００４４】
以上のように構成されたゴミ箱１は、転倒防止部材４の設置面当接部４２が設置面１１０に当接する図１に示す状態にして、被設置部２０が床面等の設置面１１０に設置される。
【００４５】
そして、ゴミ収納部２１にゴミを投入する場合は、蓋体３を閉塞状態から回動操作してゴミ収納部２１の開口を開ける。蓋体３を回動操作するには、係合片３５をゴミ箱本体２から外した状態にして、蓋体３の蓋体操作部３０を把持し、後方側（一方向側）に回動操作する。
【００４６】
これにより、蓋体３は、閉塞状態からゴミ箱本体２の蓋開閉用回動軸部２７を中心に回動し、ゴミ収納部２１の開口が開いていく。そして、蓋体３が回動していくと、第１突部３２ｂが前第２突部２８ａと当接する。
【００４７】
その当接状態から、更に蓋体３に、後方側に回動操作することにより、前第２突部２８ａと第１突部３２ｂと本体取付部３１と蓋体取付部２５との少なくとも１つが弾性変形して、図９、図１０に示すように第１突部３２ｂが前第２突部２８ａを乗り越えて前第２突部２８ａと後第２突部２８ｂとの間の間隙２８ｃに入り込む。
【００４８】
そして、この状態で、回動操作した手を蓋体３から離すと、蓋体３には、自重によって、例えば前方向側（他方向側）に回動する力がかかり、第１突部３２ｂが前第２突部２８ａと当接して係止する。これにより、蓋体３は、蓋体操作部３０が本体取付部３１の斜め上前方位置になった開状態（この実施形態では、閉塞状態から略８０°回動した状態）を維持する。従って、この状態で、蓋体３から手を離してゴミ収納部２１にゴミを投入できる。
【００４９】
又、この図９に示す状態から、蓋体３に、再度後方側に回動操作すると、第１突部３２ｂが後第２突部２８ｂと当接する。その当接状態から、更に蓋体３に同方向に力を加えると、第１突部３２ｂが後第２突部２８ｂを乗り越え、蓋体操作部３０がゴミ箱本体２の後側壁２３ｄの後側まで回り込んだ全開状態にできる。従って、この状態で、例えばゴミ収納部２１に収納したゴミを取り出す場合に、蓋体３が邪魔になることなく容易に取り出すことができる。
【００５０】
一方、図９に示す状態から、蓋体３の蓋体操作部３０が前方側に回動操作されると、第１突部３２ｂが当接した前第２突部２８ａを乗り越え、蓋体３がゴミ収納部２１の開口を閉めた図１の閉塞状態に戻すことができる。
【００５１】
又、ゴミ箱１を車輪１１により移動させる場合は、設置面当接部４２が設置面１１０に当接した図１に示す当接姿勢から、転倒防止部材４を、連結軸５の軸心Ｏ２の回りに図２の時計方向に略９０°回動させる。これにより、設置面当接部４２が凹部２４に殆ど入り込んだ位置まで移動し、その位置で、第２位置決め用凹部４１ｂに位置決め用突部が嵌り込み、設置面当接部４２を設置面１１０から上方に所定距離隔てた離間位置に係止できる。
【００５２】
又、この状態では、転倒防止部材４は、一対の車輪１１の間に配置されるため、転倒防止部材４を車輪１１に隠すことができ、見栄えのよいものにできる。
【００５３】
この状態で、ゴミ箱本体２の前部をやや上げる。これにより、車輪１１だけが設置面１１０に着いた状態にでき、転倒防止部材４が邪魔になることなく、車輪１１を円滑に転がり走行できる。
【００５４】
尚、上記実施形態では、底壁２２は方形状のものから構成されているが、底壁２２は、例えば円形状、楕円形状、その他の形状でもよく、適宜変更できる。
【００５５】
又、上記実施形態では、第２突部２８ａ、２８ｂは蓋体対向面２６ａに形成され、第１突部３２ｂは本体対向面３２に形成されたが、この形態のものに限らず、第２突部は本体対向面に形成され、第１突部は蓋体対向面に形成されてもよく、適宜変更できる。
【００５６】
又、上記実施形態では、第２突部２８ａ、２８ｂは２つから構成され、第１突部３２ｂは１つから構成されたが、この形態のものに限らず、第２突部２８ａ、２８ｂは複数個から構成され、第１突部３２ｂは少なくとも１個から構成されればよく、適宜変更できる。
【００５７】
又、上記実施形態では、第２突部２８ａ、２８ｂと第１突部３２ｂとは、両方共に、長尺状のものから構成されたが、この形態のものに限らず、第２突部２８ａ、２８ｂと第１突部３２ｂとの何れか一方のみが長尺状に形成されたものでもよく、適宜変更できる。
【００５８】
又、上記実施形態では、第２突部２８ａ、２８ｂと第１突部３２ｂとは、両方共に、蓋開閉用回動軸部（回動軸）２７と直交する方向に沿って延されるように形成されたが、この形態のものに限らず、例えば回動軸に直交する方向と所定の角度をなす方向に沿って延されるように形成されてもよく、適宜変更できる。ここで、「回動軸に直交する方向」とは、回動軸に直交する方向と完全に一致する方向及び回動軸に直交する方向と僅かにずれた略直交する方向を意味する。
【００５９】
又、上記実施形態では、第２突部２８ａ、２８ｂは、ゴミ箱本体２の後端部の左右の両側に形成された蓋体対向面２６ａのそれぞれに形成され、第１突部３２ｂは、蓋体３の本体対向面３２のそれぞれに形成されているが、この形態のものに限らず、適宜変更できる。例えば第２突部２８ａ、２８ｂは、ゴミ箱本体２の後端部の左右の両側に形成された蓋体対向面２６ａの何れか一方にのみ形成され、第１突部３２ｂは、その第２突部２８ａ、２８ｂが形成された蓋体対向面２６ａと対向する本体対向面３２にのみ形成されてもよい。
【００６０】
又、上記実施形態では、蓋体３は閉塞状態から、蓋体操作部３０がゴミ箱本体２の後側壁２３ｄの後側に回りこんだ位置まで回動できるようにしているが、この形態のものに限らず、適宜変更できる。例えば、蓋体３は閉塞状態から、平面視において開口と重複しない状態、即ち蓋体操作部３０が本体取付部３１の真上にきた位置、或いは、その位置よりも後方側の位置まで回動できればよい。
【００６１】
又、上記実施形態では、本体取付部３１が２つの取付用突設部３１ａを備え、蓋体取付部２５が嵌挿凸部２６を備えているが、例えば本体取付部３１が嵌挿凸部を備え、蓋体取付部２５が２つの取付用突設部を備えたものとしてもよく、適宜変更できる。
【符号の説明】
【００６２】
１    ゴミ箱
２    ゴミ箱本体
３    蓋体
１１    車輪
２５    蓋体取付部
２６    嵌挿凸部
２６ａ    蓋体対向面
２８ａ    前第２突部（第２突部）
２８ｂ    後第２突部（第２突部）
２８ｃ    間隙
３１    本体取付部
３１ａ    取付用突設部
３２    本体対向面
３２ｂ    第１突部
【図１】
0003183007.tif 000003
【図２】
0003183007.tif 000004
【図３】
0003183007.tif 000005
【図４】
0003183007.tif 000006
【図５】
0003183007.tif 000007
【図６】
0003183007.tif 000008
【図７】
0003183007.tif 000009
【図８】
0003183007.tif 000010
【図９】
0003183007.tif 000011
【図１０】
0003183007.tif 000012